(57)【要約】【課題】最新のデータや過去のデータを容易に入手できる電子データの利点と、携帯性や情報閲覧の容易性に優れる出版物の利点とを融合する。【解決手段】コンピュータ１１０とプリンタ１２０によって構成される情報印刷システム１００は、ＣＤ−ＲＯＭ１３０から種々の抽出条件により情報を抽出して印刷する。ＣＤ−ＲＯＭ１３０には、グルメ情報誌３００の各号に掲載された情報に対応する情報が記録されている。このようなシステムによりユーザはグルメ情報誌３００の最新の店舗情報や過去の情報を自身が所有するグルメ情報誌に貼り付けことができるため、ユーザは一旦購入した出版物を有効に活用することができる。【選択図】　図１
2004086659.tif 000002
【特許請求の範囲】
【請求項１】
情報処理装置であって、
出版物に掲載された情報に対応する情報が時系列的に記録された電子データを参照する参照部と、
出版物の出版時期を特定するための時期情報を入力する入力部と、
前記時期情報により特定された出版時期を用いた所定の抽出条件により、前記電子データから少なくとも一部の情報を抽出する抽出部と、
該抽出された情報の印刷を指示する印刷指示部と、
を備える情報処理装置。
【請求項２】
請求項１に記載の情報処理装置であって、
前記抽出部は、前記抽出条件を任意に変更する抽出条件変更部を備える情報処理装置。
【請求項３】
請求項１に記載の情報処理装置であって、
前記抽出部は、前記時期情報により特定された出版時期よりも新しい情報を前記電子データから抽出する情報処理装置。
【請求項４】
請求項１〜３のいずれかに記載の情報処理装置であって、
更に、前記抽出部により抽出された情報のうち、任意の情報を指定する指定部を備え、
前記印刷指示部は、前記指定された情報の印刷を指示する情報処理装置。
【請求項５】
請求項４に記載の情報処理装置であって、
前記指定部は、前記抽出部により抽出された情報を前記出版物と同様のレイアウトで提示し、該レイアウトの中から前記任意の情報を指定する情報処理装置。
【請求項６】
請求項１〜５のいずれかに記載の情報処理装置であって、
該情報処理装置は、ネットワークを介してクライアントと接続されており、
前記入力部は、前記クライアントから前記時期情報を入力する情報処理装置。
【請求項７】
請求項６に記載の情報処理装置であって、
前記入力部は、更に、ユーザを特定するための顧客情報を前記クライアントから入力し、
該顧客情報に応じてユーザ認証を行う認証部を備える情報処理装置。
【請求項８】
請求項６に記載の情報処理装置であって、
前記入力部は、更に、ユーザを特定するための顧客情報を前記クライアントから入力し、
前記印刷指示部により印刷指示を行った情報の履歴をユーザ毎に保持する履歴保持部を備える情報処理装置。
【請求項９】
請求項１〜８のいずれかに記載の情報処理装置であって、
前記印刷指示部は、前記抽出された情報の前記出版物における掲載位置を提示する提示部を備える情報処理装置。
【請求項１０】
請求項１〜９のいずれかに記載の情報処理装置であって、
前記印刷指示部は、予め設定された所定のフォーマットで前記抽出された情報の印刷を指示する情報処理装置。
【請求項１１】
情報処理装置であって、
用紙を貼り付け可能な用紙貼付領域を備える出版物に関し、前記用紙貼付領域の形状を表す形状データを記録した電子データを参照する参照部と、
前記出版物に貼り付けられるべき付加情報を入力する入力部と、
前記出版物の用紙貼付領域に貼り付け可能な状態で前記付加情報の印刷を指示する印刷指示部と、
を備える情報処理装置。
【請求項１２】
請求項１１に記載の情報処理装置であって、
前記電子データには、前記出版物に掲載された情報の詳細情報が記録されており、
前記入力部は、該詳細情報を付加情報として入力する情報処理装置。
【請求項１３】
請求項１１に記載の情報処理装置であって、更に、
前記電子データから前記形状データを取得する形状取得部と、
該形状データが表す形状に合わせたレイアウトを前記付加情報に施すレイアウト部と、を備える情報処理装置。
【請求項１４】
請求項１１に記載の情報処理装置であって、
前記電子データは、前記用紙貼付領域に貼り付け可能なレイアウトで前記用紙貼付領域ごとに前記付加情報を記録した情報処理装置。
【請求項１５】
情報処理装置であって、
出版物に印刷された地図に対応する地図情報を記録した電子データを参照する参照部と、
ユーザから出発地と目的地とを入力する入力部と、
前記出発地から目的地までの直線距離または経路距離を、前記電子データを用いて算出する算出部と、
前記出発地と目的地とともに前記算出した距離の印刷を指示する印刷指示部と、
を備える情報処理装置。
【請求項１６】
請求項１５に記載の情報処理装置であって、
前記出版物は、用紙を貼り付け可能な用紙貼付領域を備え、
前記電子データには該用紙貼付領域の形状が記録されており、
前記印刷部は、該形状に従い印刷を行う情報処理装置。
【請求項１７】
コンピュータプログラムであって、
出版物に掲載された情報に対応する情報が時系列的に記録された電子データを参照する機能と、
出版物の出版時期を特定するための時期情報を入力する機能と、
前記時期情報により特定された出版時期を用いた所定の抽出条件により、前記電子データから少なくとも一部の情報を抽出する機能と、
該抽出された情報の印刷を指示する機能と、
をコンピュータに実現させるためのコンピュープログラム。
【請求項１８】
コンピュータプログラムであって、
用紙を貼り付け可能な用紙貼付領域を備える出版物に関し、前記用紙貼付領域の形状を表す形状データを記録した電子データを参照する機能と、
前記出版物に貼り付けられるべき付加情報を入力する機能と、
前記出版物の用紙貼付領域に貼り付け可能な状態で前記付加情報の印刷を指示する機能と、
をコンピュータに実現させるためのコンピュータプログラム。
【請求項１９】
コンピュータプログラムであって、
出版物に印刷された地図に対応する地図情報を記録した電子データを参照する機能と、
ユーザから出発地と目的地とを入力する機能と、
前記出発地から目的地までの直線距離または経路距離を、前記電子データを用いて算出する機能と、
前記出発地と目的地とともに前記算出した距離の印刷を指示する機能と、
をコンピュータに実現させるためのコンピュータプログラム。
【請求項２０】
請求項１７〜１９のいずれかに記載のコンピュータプログラムを記録したコンピュータ読み取り可能な記録媒体。
【発明の詳細な説明】
【０００１】
【発明の属する技術分野】
本発明は、電子データから抽出した情報を利用して、出版物に新たな情報を付加する技術に関する。
【０００２】
【従来の技術】
従来より、グルメ情報誌や旅行のガイドブック、地図などの出版物が多く利用されている。ユーザは、ペンによる書込み等によりこれらの出版物に対して、新たな情報を付加する場合があった。新たな情報とは、例えば、新規店舗に関する情報や、新しく開通した道路に関する情報等である。このような情報を出版物に書き込むことにより、一旦購入した出版物を有効に活用することができた。
【０００３】
近年では、インターネットやＣＤ−ＲＯＭ等のように、パーソナルコンピュータなどを用いてユーザが手軽に最新の情報を入手可能な手段が広まりつつある。これらの手段では情報の更新が頻繁に行われることが多く、例えば、インターネットで出版社のサイトを閲覧すれば、書店で販売されている出版物よりも最新の情報が掲載されている場合が少なくない。また、既に販売が完了した出版物の掲載情報についても閲覧が可能な場合がある。
【０００４】
【発明が解決しようとする課題】
しかし、パーソナルコンピュータ等の機器は、経済性や携帯性、情報閲覧の容易性において未だ出版物に勝るものではない。従って、掲載されている情報が最新の情報でなくとも、依然として出版物を利用するユーザが多かった。
【０００５】
本発明は上記課題に鑑みてなされたものであり、最新のデータや過去のデータを容易に入手できる電子データの利点と、携帯性や情報閲覧の容易性に優れる出版物の利点とを融合し、両者の情報を有効に活用可能な技術の提供を目的としている。
【０００６】
【課題を解決するための手段およびその作用・効果】
上記課題の少なくとも一部を解決するため、本発明の情報処理装置を以下のように構成した。すなわち、
出版物に掲載された情報に対応する情報が時系列的に記録された電子データを参照する参照部と、
出版物の出版時期を特定するための時期情報を入力する入力部と、
前記時期情報により特定された出版時期を用いた所定の抽出条件により、前記電子データから少なくとも一部の情報を抽出する抽出部と、
該抽出された情報の印刷を指示する印刷指示部と、
を備えることを要旨とする。
【０００７】
「出版物」としては、例えば、グルメ情報誌や地図、旅行のガイドブック等を挙げることができる。出版物は、所定の期間をおいて逐次出版される年刊誌や月刊誌、季刊誌等でもよい。「出版物に掲載された情報に対応する情報」とは、例えば、出版物に掲載された記事、画像、写真、およびこれらのレイアウト等を電子化したデータである。もちろん、掲載された情報以外にも、それに関連する情報を電子データに記録してもよい。例えば、出版物に、ある飲食店の地図情報のみが掲載されている場合に、その飲食店の営業時間やメニュー、店舗の写真などの情報がこれに該当する。
【０００８】
「情報が時系列的に記録される」とは、時期情報により特定される出版時期と比較可能とするために、その情報が、生成日、掲載日、最終更新日などの日付や時間、あるいはバージョン等のパラメータとともに記録されることを意味している。すなわち、必ずしも電子データの記録領域上に古い情報から新しい情報にかけて連続的に配置されることを意味するものではない。
【０００９】
参照部が参照する電子データの格納場所は、フレキシブルディスクやＣＤ−ＲＯＭ、ＤＶＤ、ハードディスク、メモリカード等、媒体の種別を問わない。インターネット等のネットワークを介して接続されたサーバ上に格納されていてもよい。
【００１０】
入力部には、例えば、ユーザが所有する出版物の出版時期を特定するための時期情報を入力する。時期情報としては、日付を入力してもよいし、「６月号」や「夏号」のような「号」、あるいは「第３版」のような「版」、などを入力するものとしてもよい。
【００１１】
時期情報の入力は、出版物を所有するユーザが直接行うものとしてもよいが、例えば、本発明の情報処理装置が出版社などに設置されている場合に、出版物を所有するユーザから郵便やＦＡＸ、電話、電子メールなどで時期情報の連絡を受けたオペレータが入力するものとしてもよい。このような場合には、出版社で印刷を行い、印刷された用紙をユーザに配達するものとすることができる。
【００１２】
本構成の情報処理装置によれば、出版物に掲載された情報に対応する情報を電子データから抽出して印刷することができる。ユーザは、このように印刷された情報を出版物に貼り付けることにより、出版物に対して新たな情報を付加することが可能となる。
【００１３】
前記抽出部は、前記抽出条件を任意に変更する抽出条件変更部を備えるものとすれば、抽出条件を任意に追加、削除等行うことができるため、柔軟な条件設定を行うことができる。変更は、ユーザが所定のユーザインターフェースにより手動で行ってもよいし、自動的に行うものとしてもよい。
【００１４】
また、前記抽出部は、前記時期情報により特定された出版時期よりも新しい情報を前記電子データから抽出するものであれば、ユーザは、一旦購入した出版物を最新の状態に保つことが可能となり好適である。
【００１５】
その他、抽出部は、特定された出版時期に該当する情報のみを抽出してもよいし、それよりも古い情報を抽出してもよい。また、特定された出版時期に該当する出版物に掲載された情報と一致するか否かにかかわらず情報を抽出するものとしてもよいし、異なる情報のみを抽出するものとしてもよい。
【００１６】
また、かかる構成の情報処理装置において、
更に、前記抽出部により抽出された情報のうち、任意の情報を指定する指定部を備え、
前記印刷指示部は、前記指定された情報の印刷を指示するものとしてもよい。
【００１７】
こうすることにより、ユーザは抽出された情報のうち必要な情報のみを印刷することができる。情報の指定は、種々のインターフェースを利用することができる。例えば、前記指定部は、前記抽出された情報を前記出版物と同様のレイアウトで提示し、該レイアウトの中から前記任意の情報を指定するインターフェースとすることができる。こうすれば、ユーザは所望の情報を直感的に選択することができ、利便性が向上する。
【００１８】
また、本発明の情報処理装置は、ネットワークを介してクライアントと接続する構成を採ることもできる。この場合、
前記入力部を、前記クライアントから前記時期情報を入力するものとすれば、サーバとして本発明の情報処理装置を適用することができる。
【００１９】
このように、サーバとして本発明の情報処理装置を構成した場合、抽出部により抽出した情報をクライアントに対して送信するようにしてもよい。送信は、新しい情報が電子データに記録された都度行ってもよいし、クライアントから要求された都度行ってもよい。
【００２０】
また、前記印刷指示部はサーバに接続されたプリンタに対して印刷を指示するものとしてもよいし、クライアントに対して印刷を指示するものとしてもよい。
【００２１】
上記情報処理装置をサーバとして適用するに当たり、
前記入力部は、更に、ユーザを特定するための顧客情報を前記クライアントから入力し、
該顧客情報に応じてユーザ認証を行う認証部を備えるものとすれば、不正なアクセスを防止することが可能となる。
【００２２】
また、前記印刷指示部により印刷指示を行った情報の履歴をユーザ毎に保持する履歴保持部を備えるものとすれば、ユーザが重複して同じ情報を出力することを防ぐことができる。
【００２３】
そのほか、この履歴情報を用いることにより、ユーザが所有する出版物の変更（更新）状況を、ユーザに対して出力することができる。特に、その出力を出版物のレイアウトに即して行うことにより、出版物の変更（更新）状況を電子的に再現、例えば、クライアントの画面上に表示することができる。
【００２４】
また、上述した種々の態様の情報処理装置において、
前記印刷指示部は前記抽出された情報の前記出版物における掲載位置を提示する提示部を備えるものとしてもよい。
【００２５】
こうすることにより、ユーザは抽出された情報の貼り付け場所を容易に確認することができる。提示は、出版物のレイアウトを表示して該当する位置を示すものとしてもよいし、例えば、「２ページの上から３段目。」といったように言葉で提示するものとしてもよい。
【００２６】
ここで、例えば、出版物に掲載されたある店舗が、２つの店舗に分離／分割された場合には、その２つの店舗に関する情報の掲載位置を元の店舗の掲載位置に提示するよう構成してもよい。この場合、２つの情報が元の店舗の掲載位置に収まるよう印刷を行わせるものとする。また、２つの店舗が１つに統合された場合には、その統合された店舗に関する情報の掲載位置を元の２つの店舗が掲載されていた掲載位置に提示するよう構成してもよい。かかる場合には、統合された店舗の情報を２部、印刷させるものとする。
【００２７】
また、上述した種々の態様の情報処理装置において、
前記印刷指示部は、予め設定された所定のフォーマットで前記抽出された情報の印刷を指示するものとしてもよい。
【００２８】
こうすることにより、例えば、出版物にシール用紙が付属しているような場合、該シール用紙の形状に合わせて情報を印刷することができる。また、電子データに、出版物に掲載された情報のレイアウトを指定するレイアウトデータが記録されていれば、出版物のレイアウトと同等のレイアウトによって情報を印刷することができる。
【００２９】
本発明の情報処理装置によって印刷した情報を出版物に貼り付けていくと、徐々に出版物が膨れ上がり見栄えが悪くなる場合がある。このような場合、ユーザは最新の出版物を新たに購入すればよい。つまり、出版物を発行する出版社は、最新の電子データを適宜発行し、本発明の情報処理装置をユーザに使用させることにより、間接的に出版物の購入を促進させることが可能となる。
【００３０】
本発明は、以下の構成の情報処理装置としても構成することができる。すなわち、本発明の第２の情報処理装置は、
用紙を貼り付け可能な用紙貼付領域を備える出版物に関し、前記用紙貼付領域の形状を表す形状データを記録した電子データを参照する参照部と、
前記出版物に貼り付けられるべき付加情報を入力する入力部と、
前記出版物の用紙貼付領域に貼り付け可能な状態で前記付加情報の印刷を指示する印刷指示部と、
を備えることを要旨とする。
【００３１】
このような構成の情報処理装置により印刷した付加情報は、出版物の用紙貼付領域と同じ形状で印刷されるため、ユーザは容易に付加情報の貼り付けを行うことができる。
【００３２】
また、本構成の情報処理装置において、
前記電子データには、前記出版物に掲載された情報の詳細情報が記録されており、
前記入力部は、該詳細情報を付加情報として入力するものとしてもよい。
【００３３】
こうすることにより、予め電子データに記録した詳細情報を印刷することができる。詳細情報とは、例えば、出版物に掲載された情報が地図であれば、地図上に配置された店舗の名称、住所、電話番号等の情報である。
【００３４】
また、上記構成の情報処理装置において、更に、
前記電子データから前記形状データを取得する形状取得部と、
前記付加情報に対して、該形状に合わせたレイアウトを施すレイアウト部とを備えるものとしてもよい。
【００３５】
こうすることにより、ユーザは、印刷された付加情報を容易に出版物に貼り付けることが可能となる。
【００３６】
また、前記電子データは、前記用紙貼付領域に貼り付け可能なレイアウトで前記用紙貼付領域ごとに前記付加情報を記録していてもよい。このような構成であれば、付属情報にレイアウトを施す処理を省略することが可能となる。
【００３７】
更に、本発明の情報処理装置は、以下のように構成することもできる。すなわち、本発明の第３の情報処理装置は、
出版物に印刷された地図に対応する地図情報を記録した電子データを参照する参照部と、
ユーザから出発地と目的地とを入力する入力部と、
前記出発地から目的地までの直線距離または経路距離を、前記電子データを用いて算出する算出部と、
前記出発地と目的地とともに前記算出した距離の印刷を指示する印刷指示部と、
を備えることを要旨とする。
【００３８】
本構成の情報処理装置によって印刷した情報を出版物に貼り付けることにより、ユーザは、容易に目的地までの距離を確認することができる。特に、出発地と目的地とが異なるページに掲載されている場合に効果的である。
【００３９】
なお、前記経路距離を算出する場合、交差点を表すノードデータと道路を表すリンクデータによって構成された道路ネットワークデータが電子データに記録されていると周知のダイクストラ法等により経路の探索ができる。
【００４０】
本発明は上述した種々の情報処理装置としての態様のほか、情報処理装置により情報を抽出する方法やコンピュータプログラム、かかるコンピュータプログラムを記録した記録媒体など種々の態様で実現することが可能である。記録媒体としては、フレキシブルディスクやＣＤ−ＲＯＭ、ＤＶＤ、光磁気ディスク、ＩＣカード、ＲＯＭカートリッジ、コンピュータの内部記憶装置（ＲＡＭやＲＯＭなどのメモリ）および外部記憶装置などコンピュータが読取り可能な種々の媒体を利用することができる。
【００４１】
【発明の実施の形態】
以下、本発明の実施の形態について実施例に基づき次の順序で説明する。
Ａ．第１実施例：
（Ａ１）情報印刷システムの構成：
（Ａ２）電子データの構造：
（Ａ３）情報抽出処理：
（Ａ４）第１実施例の変形例：
Ｂ．第２実施例：
（Ｂ１）情報印刷システムの構成：
（Ｂ２）情報抽出処理：
（Ｂ３）第２実施例の変形例：
Ｃ．第３実施例：
（Ｃ１）情報印刷システムの構成：
（Ｃ２）電子データの構造：
（Ｃ３）情報出力処理：
Ｄ．第４実施例：
（Ｄ１）情報印刷システムの構成：
（Ｄ２）情報出力処理：
（Ｄ３）第４実施例の変形例：
【００４２】
Ａ．第１実施例：
（Ａ１）情報印刷システムの構成：
図１は、ＣＤ−ＲＯＭ１３０から抽出した情報を印刷する情報印刷システム１００の構成を示す説明図である。情報印刷システム１００は、コンピュータ１１０とプリンタ１２０とにより構成される。コンピュータ１１０は、いわゆる汎用のパーソナルコンピュータであり、ＣＤ−ＲＯＭ１３０に記録された電子データから情報を読み込むためのＣＤ−ＲＯＭドライブや、ＣＰＵ、ＲＡＭ、ハードディスク、モニタ、キーボード、マウス等を備えている。プリンタ１２０は汎用のカラーインクジェットプリンタであり、コンピュータ１１０とＵＳＢケーブルを用いて接続されている。本実施例ではＣＤ−ＲＯＭ１３０に、年１回出版されるグルメ情報誌の各号に掲載された情報に対応する情報が電子データとして記録されているものとした。すなわち、ＣＤ−ＲＯＭ１３０には、同一地点（店舗）に関して過去に掲載された情報から最新の情報までが記録されている。ユーザは、グルメ情報誌の購入後にＣＤ−ＲＯＭ１３０を入手する。
【００４３】
コンピュータ１１０には、ＣＤ−ＲＯＭ１３０から情報を抽出するためのソフトウェアＳＦがインストールされている。図の下部ではソフトウェアＳＦのブロック図を示した。主制御部２００は、図示する各ブロックの全体制御を行う。入力手段２１０は、モニタ上にユーザインターフェースを提供し、ユーザが所有するグルメ情報誌の出版時期を特定するための時期情報などの入力を受ける。データ参照手段２２０は、ＣＤ−ＲＯＭ１３０に記録された電子データの参照を行う。データ抽出手段２３０は、データ参照手段２２０を用いて種々の抽出条件によりＣＤ−ＲＯＭ１３０から情報の抽出を行う。出力手段２４０は、抽出した情報を印刷するためにプリンタ１２０に対して印刷の指示を与える。
【００４４】
ユーザは、プリンタ１２０により用紙Ｐに印刷された情報Ｘを適宜切り取り、自身の所有するグルメ情報誌３００に貼り付ける。ＣＤ−ＲＯＭ１３０には、グルメ情報誌の各号の情報が記録されているため、自身が所有する号に掲載されていない最新情報や過去の情報を付加することができる。印刷を行う用紙は貼り付けを容易にするためシール用紙であることが好ましい。この場合、グルメ情報誌３００に予めシール用紙が添付されているとシール用紙を購入する手間が省け好適である。
【００４５】
（Ａ２）電子データの構造：
図２は、ＣＤ−ＲＯＭ１３０に記録された情報のデータ構造を示す説明図である。ＣＤ−ＲＯＭ１３０には、グルメ情報誌の各号ごとに掲載する店舗情報が記録されており、さらに、各号に掲載する情報のバージョンが図２（ａ）で示すように定義されている。図示するように、例えば、１９９８年号にはすべての店舗についてバージョン１の情報が掲載されており、２０００年号には、店舗３についてバージョン２の情報が掲載されている。これは、店舗３に関するなんらかの情報（住所、電話番号等）が変更されたことを意味する。また、２００１年号では、店舗４に関する情報が削除されている。これは店舗４の紹介を取りやめた、あるいは店舗４が存在しなくなった旨を意味している。ＣＤ−ＲＯＭ１３０には、上記情報の他、図２（ｂ）で示すように、掲載する店舗情報のレイアウトを指定するためのデータがページ毎に記録されている。なお、本実施例では情報のバージョンを番号により定義するものとしたが、その情報の掲載日や作成日、最終更新日等、日付や日時により定義してもよい。すなわち、情報の新旧が相対的に判別可能なパラメータであればよい。
【００４６】
（Ａ３）情報抽出処理：
図３は、ＣＤ−ＲＯＭ１３０から情報を抽出する情報抽出処理のフローチャートである。本処理は、コンピュータ１１０のＣＰＵがソフトウェアＳＦに従い実行する処理である。図４には、入力手段２１０によって提供されるユーザインターフェースの表示例を示した。まず、ＣＰＵは、入力手段２１０を用いてユーザの所有する情報誌の号の入力を受け（ステップＳ１０、図４（ａ）参照）、さらに、抽出する情報の抽出条件の指定を受ける（ステップＳ１１、図４（ｂ）参照）。ＣＰＵは、指定された抽出条件に基づき、ＣＤ−ＲＯＭ１３０から情報を抽出する（ステップＳ１２）。
【００４７】
抽出条件とは、例えば、ユーザの所有する情報誌から更新された店舗情報を抽出するといった条件（条件Ａ）や、ユーザの所有する情報誌に掲載された情報よりも古い店舗情報を抽出するといった条件（条件Ｂ）である。ここで、上記ステップＳ１０において、ユーザから２０００年号という入力を受けた場合について、図２（ａ）で示したデータ構造に従って抽出される情報を説明する。条件Ａでは、２０００年号に掲載された情報と２００２号に掲載された情報を比較して新しい情報を抽出することとなるから、店舗２のバージョン２の情報と、店舗３のバージョン３の情報が抽出される。なお、店舗４の情報については削除されているため、次のステップＳ１３では削除された旨を表示することとしてもよい。条件Ｂでは、２０００年号に掲載された情報よりも古い情報が抽出されることとなるため、店舗３のバージョン１の情報が抽出される。
【００４８】
ＣＰＵは、このように抽出された情報について、モニタ上にリスト表示を行い（ステップＳ１３、図４（ｃ）参照）、ユーザからの選択を入力する（ステップＳ１４）。最後に、ＣＰＵは、出力手段２４０を介してプリンタ１２０に印刷指示を与えることにより選択された情報を印刷する（ステップＳ１５）。
【００４９】
以上で説明した第１実施例の情報印刷システム１００によれば、ユーザは自身が所有する出版物に対して他の号に掲載された店舗情報を付加することができる。
【００５０】
（Ａ４）第１実施例の変形例：
上記情報抽出処理のステップＳ１５において情報を印刷する際、ユーザがその情報の貼り付け場所を容易に把握できるように、出版物におけるその情報の掲載位置をユーザに提示するものとしてもよい。例えば、上記ステップＳ１４において、図２で示した店舗３の情報を出力する要求があった場合、ユーザの所有している２０００年号において店舗３が掲載されている位置を図２（ｂ）に示すデータを参照することにより掲載位置を特定することができる。図２（ｂ）の例では、店舗３は、１ページ目の上から３段目に掲載されていることがわかる。図５には、このデータを用いて画面上に情報の掲載位置を提示した表示例を示した。こうすることにより、ユーザは、印刷した情報の貼付位置を容易に知ることができる。また、モニタ上に表示するほかに、情報の印刷に併せて貼付位置を特定するための情報、例えば、「以下の記事を１ページの３段目に貼り付けて下さい。」といった情報を印刷するものとしてもよい
【００５１】
第１実施例では、抽出条件をユーザが選択可能な場合を例示した（図３のステップＳ１１、図４（ｂ）参照）。これに対し、「更新された情報の抽出」など、抽出条件を予め固定しておいてもよい。こうすることにより、ユーザの操作負担が軽減し、手軽に情報誌を最新の状態に保つことができる。
【００５２】
第１実施例では、印刷する情報をリストから選択するものとした（図３のステップＳ１４、図４（ｃ）参照）。しかし、より容易に選択可能とするため、ユーザが所有する出版物のイメージをモニタ上に表示し、抽出条件に合致する部分を強調表示するなどして選択させるものとしてもよい。モニタ上に表示するに当たっては、例えば、２００２年号において店舗２，３，４が更新の対象として抽出された場合に、ユーザが所有する２０００年号における店舗２，３，４の配置を図２（ｂ）で示したデータから特定する。この場合、２０００年号の１ページ目の上から２，３，４番目に配置されていることがわかる。図６には、かかる場合の表示例を示した。図中のハッチング部分が、抽出条件に合致する情報に相当する。ユーザは、このように強調表示された部分をマウス等で指定することにより所望の情報を印刷することができる。なお、モニタ上の表示は、抽出条件に合致するものを強調表示するのみならず、その抽出した情報に関する情報、例えば、店舗２であれば、バージョン２、店舗３であればバージョン３、店舗４であれば削除という情報をあわせて表示することが、より好ましい。
【００５３】
また、ＣＤ−ＲＯＭ１３０の不正利用を防ぐため、図３のステップＳ１０よりも前に、情報誌に予め印刷されたパスワードやシリアル番号を入力する工程を設け、情報誌の所有者のみがＣＤ−ＲＯＭにアクセスできるものとしてもよい。
【００５４】
Ｂ．第２実施例：
（Ｂ１）情報印刷システムの構成：
第１実施例ではＣＤ−ＲＯＭに情報が記録されている場合について説明した。第２実施例では、インターネット上のサーバに情報が記録されているシステムについて説明する。本実施例の特徴は、クライアントがサーバから必要な情報を逐次入手できる点と、サーバがユーザの利用履歴を記憶する点にある。すなわち、本実施例は、第１実施例と比べ、よりきめ細やかなサービスを提供することが可能となる。図７は、本実施例における情報印刷システム４００の構成を示す説明図である。本システム４００は、クライアント４１０とサーバ４２０およびプリンタ４３０により構成されている。
【００５５】
クライアント４１０は汎用のパーソナルコンピュータであり、サーバ４２０とインターネットを介して接続されている。サーバ４２０も汎用のコンピュータであり、ＣＰＵ、ＲＡＭ、ハードディスクなどを備えている。ハードディスクには、第１実施例のＣＤ−ＲＯＭ１３０に記録された情報と同様の情報が格納されているものとする。サーバ４２０はＷｅｂサーバ機能を内蔵しており、クライアント４１０にインストールされたＷｅｂブラウザを介してユーザインターフェースを提供することができる。すなわち、ユーザは、クライアント４１０のＷｅｂブラウザ経由でサーバ４２０に対して種々の入力を行うことができる。
【００５６】
サーバ４２０に接続されたプリンタ４３０は、市販されている出版物と同等の画質で情報の印刷が可能なプリンタである。印刷した情報は、サーバ４２０を運営する事業者が郵送等の方法によりユーザの元へ届ける。プリンタ４３０で印刷された用紙であれば、ユーザは自身の情報誌に違和感なく貼り付けることができる。
【００５７】
図の下部には、サーバ４２０にインストールされたソフトウェアＳＦ２のブロック図を示した。主制御部５００は、各機能ブロックの全体制御を行う。入力手段５１０は、インターネットを介してクライアント４１０から各種入力を行うためのユーザインターフェースを提供し、ユーザが所有するグルメ情報誌の出版時期を特定するための時期情報などの入力を受ける。データ参照手段５２０は、サーバが備えるハードディスクに格納された電子データを参照する手段である。データ抽出手段５３０は、データ参照手段５２０を利用して種々の抽出条件によりサーバのハードディスクから情報を抽出する。出力手段５４０は、抽出した情報を印刷するためにプリンタ４３０に対して印刷の指示を与える。
【００５８】
サーバには、更に、多数のユーザによるアクセスを制御するための機能ブロックが用意されている。ユーザ管理部５５０は、ユーザのユーザＩＤ、パスワード、メールアドレス、住所、電話番号、クレジット番号などの情報を管理している。認証部５６０は、ユーザ管理部５５０に記録されたユーザＩＤ、パスワード等に基づきインターネットを介してログオンするユーザの認証を行う。履歴保持部５７０は、ユーザ毎に出力した情報の履歴を管理する。例えば、図２（ａ）に示したデータ構造において、店舗情報ごとに出力済みか否かを示すユーザ固有の既出力フラグを設けることにより管理することができる。
【００５９】
（Ｂ２）情報抽出処理：
図８は、情報を抽出する情報抽出処理のフローチャートである。サーバ４２０のＣＰＵが上述したソフトウェアＳＦ２に従い実行する処理である。まず、ＣＰＵは、クライアントからインターネットを介してユーザＩＤとパスワードを入力し（ステップＳ２０）、ユーザ認証を行う（ステップＳ２１）。認証が不能の場合は処理を終了する。ステップＳ２２以下は、第１実施例のステップＳ１０以下と同等の処理のため詳細な説明を省略するが、ステップＳ２４では、履歴保持部５７０を参照し、ユーザが既に出力済みの情報を除いて情報を抽出する。こうすることにより、ユーザが重複して同じ情報を印刷することを防ぐことができる。また、ステップＳ２７では、情報の印刷と同時に、出力した情報の履歴を履歴保持部５７０に記録する。
【００６０】
以上で説明した第２実施例の情報印刷システム４００によれば、ユーザ毎に履歴を管理することにより、重複して情報を印刷することを回避することができる。また、サーバを用いることにより、最新の情報を迅速に提供することが可能となる。
【００６１】
（Ｂ３）第２実施例の変形例：
第２実施例では、サーバ４２０側で印刷を行いユーザに郵送するものとしたが、インターネットを介して印刷イメージをクライアント４１０に送信してもよい。どちらの手段を採るかはユーザによって選択可能であることが望ましい。
【００６２】
サーバ４２０は、ハードディスクに新しい情報誌に関する情報が記録された際に、ユーザ管理部５５０に登録されたメールアドレスに対してその旨を通知するものとしてもよい。また、出力した情報の数の多いユーザに対して、最新の情報誌の購入を促すメールを送信してもよい。そのほか、サーバ４２０は、ユーザが印刷した情報量に応じて所定の課金処理を行うものとしてもよい。
【００６３】
Ｃ．第３実施例：
（Ｃ１）情報印刷システムの構成：
以下、第３実施例としての情報印刷システムについて説明する。第３実施例の情報印刷システムの構成は、第１実施例または第２実施例と同様とすることができる。第１および第２実施例では、出版物に掲載された情報と同等の情報が電子データに記録されているものとした。第３実施例では、出版物に掲載されていない付加情報を印刷し、出版物の掲載内容をユーザの要求に応じて充実させることが可能なシステムを例示する。
【００６４】
かかるシステムは、種々の出版物を対象として構成することができるが、説明の便宜上、住宅地図を例にとって説明する。住宅地図の場合、例えば、地図上に存在する地物の詳細情報が付属情報に相当する。付加情報は、予め電子データとして与えるものとしてもよいし、ユーザが任意に入力可能としてもよい。
【００６５】
図９は、住宅地図に種々の情報を貼り付ける例を示す説明図である。図示する住宅地図には、ページの上部に地図Ｍが印刷されており、下部には、付属情報を貼り付けるための用紙貼付領域Ａが確保されている。例えば、地図上の領域「Ｃ−３」に「○○ラーメン」という店が存在するといった情報や、領域「Ｂ−１」には「○○カレー」という店が存在するといった情報を電子データから抽出して貼り付けることができる。また、この領域に対して、ユーザが入力した任意の情報を付加することもできる。図では、「○○ラーメン」に対して「おすすめ！」とユーザが入力した例を示した。
【００６６】
（Ｃ２）電子データの構造：
図１０は、住宅地図に関する情報が記録された電子データの構造例を示す説明図である。電子データには、図１０（ａ）で示すように、住宅地図のページ毎にレイアウト情報が記録されている。レイアウト情報には、配置する地図の番号や用紙貼付領域の形状データが記録されている。電子データには、図１０（ｂ）で示すように地図番号に応じて、地図の画像データや道路ネットワークデータ、店舗の詳細データ等が記録されている。道路ネットワークデータとは、交差点を表すノードと道路を表すリンクにより構成されたデータであり経路の探索に用いられるデータである。なお、店舗の詳細データは、必ずしも地図番号と対応付けて管理する必要はなく、個別に保持してもよい。この場合、各店舗データには、店舗の位置情報、または、地図番号など、掲載されるべき場所を特定可能なデータを含めることが好ましい。電子データをＣＤ−ＲＯＭに格納する場合は、道路ネットワークデータを利用した経路探索をコンピュータで実現させるためのソフトウェアも併せて記録すると好適である。
【００６７】
（Ｃ３）情報出力処理：
図１１は、住宅地図に貼り付ける情報を出力する情報出力処理のフローチャートである。まず、コンピュータ１１０あるいはサーバ４２０のＣＰＵは、電子データに記録された詳細情報をリスト表示する（ステップＳ３０）。このとき、地図情報と関係なく詳細情報のみを表示してもよいし、ユーザに地図を表示するとともに、その地図に対応付けられた詳細情報を表示するものとしてもよい。
【００６８】
次に、ＣＰＵは、ユーザから印刷すべき情報の選択指示を受け付ける（ステップＳ３１）。さらに、電子データとして提供される情報以外にユーザから任意の付加情報の入力を受けてもよい（ステップＳ３２）。また、ユーザが指定した条件に基づいて付加情報を生成してもよい。生成する情報としては、例えば、図９中に例示した目的地までの距離や、その移動にかかる時間、経路等が挙げられる。そのほか、ページにまたがる行政界の面積等の情報を生成するものとしてもよい。
【００６９】
ここで、ユーザが地図中のある地点から他の地点までの経路距離を付加情報として住宅地図に付加したい場合を考える。コンピュータ１１０あるいはサーバ４２０には図１０で示した電子データを用いて経路の探索が可能なソフトウェアがインストールされているものとする。コンピュータ１１０あるいはサーバ４２０のＣＰＵは、ユーザから出発地と目的地の入力を受けると、周知のダイクストラ法を用いて道路ネットワークデータに基づき経路を算出する。こうすることにより、図９で示すように、例えば、領域「Ａ−１」に存在する「△△駅」から「××駅」までの経路距離を付加情報として設定することができる。このような情報が住宅地図に付加されることにより、図９で示すように、離れたページに目的地がある場合であっても容易にその距離を把握することが可能となる。もちろん経路距離ではなく、直線距離を付加情報として設定してもよい。
【００７０】
こうして、付加情報の内容が設定されると、ＣＰＵはユーザから情報を貼り付ける出版物のページの指定を受け（ステップＳ３３）、指定されたページに存在する用紙貼付領域の形状データを電子データから入力する（ステップＳ３４）。これらの処理は、ステップＳ３０以前に行うものとしてもよい。
【００７１】
ＣＰＵは、用紙貼付領域内に詳細情報や付加情報が収まるようにレイアウトを施し（ステップＳ３５）、プリンタに対して印刷指示を出力する（ステップＳ３６）。付加情報のレイアウトは、種々の方法により実現可能である。例えば、図９で示した表形式を採る場合には、用紙貼付領域に収まるよう、付加情報の数に応じて表の各欄の大きさを設定し、各欄の大きさに応じて表示すべき情報の文字サイズ等を決定すればよい。
【００７２】
以上で説明した第３実施例のシステムによれば、用紙貼付領域に対してユーザの要求に沿った情報を貼り付けることができる。従って、出版物に掲載される情報をユーザに応じてカスタマイズすることが可能となり、限られたページを有効に活用することができる。
【００７３】
Ｄ．第４実施例：
（Ｄ１）情報印刷システムの構成：
本実施例では、第２実施例の変形例で簡単に述べた、メールによる更新情報の通知について詳細に説明する。装置の構成としては、第２実施例で説明した情報印刷システム４００（図７参照）を用いることができる。
【００７４】
（Ｄ２）情報出力処理：
図１２は、サーバとクライアント間の通信手順を示す説明図である。まず、クライアントは、ユーザからの所定の入力によりサーバに対してユーザ登録を行う（ステップＳ４０）。登録する内容としては、例えば、ユーザの氏名、住所、電話番号、メールアドレス、購入した出版物の名称および号数等が挙げられる。すると、サーバは、個人情報データベース（図７のユーザ管理部５５０に相当）に、これらの情報を記録する（ステップＳ４１）。
【００７５】
次に、サーバ側のデータが更新された場合、その更新情報は、出版情報データベース（図２で示した電子データに相当）に記録される（ステップＳ４２）。更新情報が記録されると、サーバは、クライアントに対して情報が更新された旨のメールを送信する（ステップＳ４３）。クライアントは、このメールを受信表示し（ステップＳ４４）、その内容を確認後、必要であれば、ユーザの指示により更新された情報の入手をサーバに要求する（ステップＳ４５）。サーバは、この要求に従い、更新情報を印刷し（ステップＳ４６）、ユーザに送付する（ステップＳ４７）。以下、ステップＳ４２〜Ｓ４７の手順を繰り返し行う。なお、ユーザは、ある時点で、新しい号の出版物を入手する場合がある。その際には、ユーザは、サーバに対してユーザ登録した内容を変更するものとしてもよい。
【００７６】
図１３は、出版物に掲載の店舗毎に情報が更新された場合の通知例を示す説明図である。図中、星印は、情報が更新された旨を表し、黒丸が出版された旨を表す。図では、ユーザは１９９８年号の出版物を購入したことを表している。２重丸は、サーバに対してユーザ登録を行った旨、若しくはユーザ登録内容の更新を行った旨を表している。図示するように、１９９８年号から１９９９年号が発行されるまでの間、サーバ側では店舗１〜３の情報が更新されている。従って、サーバは、ユーザに対して情報が更新された旨のメールを送信している。ユーザは、メールを受信し、サーバに対して印刷の要求を行い、自身が所有する出版物に対して更新情報の貼付を行っている。
【００７７】
次に、サーバ側から、１９９９年号が出版された旨のメールがユーザに送信されている。ユーザはこのメールを受信し、その情報に従って新しい号の出版物を購入している。新しい号を入手した場合、ユーザは、サーバに対してユーザ登録内容の変更、すなわち、自身が所有する出版物の号数の変更を行う。その後、サーバ側では、店舗１のみの情報が更新されたため、上記と同様に、メールをユーザに送信し、ユーザは、新しく購入した１９９９年号にその情報の貼付を行っている。
【００７８】
次に、２０００年号の出版物が発行され、ユーザにもその旨がメールにより通知されている。しかし、ユーザは、図中「×」で示すように２０００年号の購入は見送っている。これは、１９９９年号に対して貼り付けた情報が少ないためである。
【００７９】
２０００年号から２００１年号までの間には、店舗１〜４の情報が更新されている。そのうち、ユーザは、店舗１〜３について情報の更新を行っている。このとき、サーバ側は、ユーザが所有する１９９９年号の出版物のレイアウトに従い情報の印刷を行う。２０００年号のレイアウトに従うと、ユーザは適切に貼付を行うことができないためである。店舗４については、ユーザは、情報を入手していない。これは、２００１年号が間もなく出版される旨の予告が店舗４の更新時のメール内に記載されていたからである。そして、その後、ユーザは、２００１年号の出版物を購入し、ユーザ登録の更新を行っている。
【００８０】
以上で説明した第４実施例では、サーバ側の情報が更新された際にユーザに対してメールを送信するものとした。そのため、ユーザは適切なタイミングで出版物に対して情報の更新を行うことができる。また、出版物が発行された旨の通知や、間もなく発行される旨の予告も行うため、ユーザの購買意欲を高めることができる。
【００８１】
（Ｄ３）第４実施例の変形例：
例えば、図１３において、１９９８年号の出版後、１９９９年号の出版までに、店舗１が店舗ａと店舗ｂの２つの店舗に分離／分割される場合がある。このようなときに、ユーザから店舗ａ，ｂに関する情報の印刷指示をサーバが受けた場合には、ユーザが所有する１９９８年号の店舗１のレイアウトに収まるように２つの情報の印刷を行う構成としてもよい。また、店舗１と店舗２が合併し、新たな店舗ｃが発生した場合には、店舗ｃに関する情報を店舗１と店舗２のレイアウトに従い共通の情報を印刷する構成としてもよい。このような構成とすることにより、店舗の分割や統合などにも柔軟に対応可能な情報印刷システムを構成することが可能となる。
【００８２】
以上、本発明の種々の実施例について説明したが、本発明はこれらの実施例に限定されず、その趣旨を逸脱しない範囲で種々の構成を採ることができることはいうまでもない。例えば、実施例においてソフトウェアで実現した機能をハードウェア的に実現するものとしてもよい。
【図面の簡単な説明】
【図１】ＣＤ−ＲＯＭから抽出した情報を印刷する情報印刷システム１００の構成を示す説明図である。
【図２】ＣＤ−ＲＯＭ１３０に記録された電子データのデータ構造を示す説明図である。
【図３】電子データから情報を抽出する情報抽出処理のフローチャートである。
【図４】入力手段２１０によって提供されるユーザインターフェースの表示例である。
【図５】印刷した情報の貼り付け位置を指定する表示例である。
【図６】出版物のイメージをモニタ上に表示させた例を示す図である。
【図７】インターネットを利用した情報印刷システム４００の構成を示す説明図である
【図８】電子データから情報を抽出する情報抽出処理のフローチャートである。
【図９】住宅地図に種々の付加情報を貼り付ける例を示した説明図である。
【図１０】住宅地図に関する情報が記録された電子データの構造例を示す説明図である。
【図１１】住宅地図に貼り付ける情報を出力する情報出力処理のフローチャートである。
【図１２】サーバとクライアント間の通信手順を示す説明図である。
【図１３】出版物に掲載の店舗毎に情報が更新された場合の通知例を示す説明図である。
【符号の説明】
１００，４００…情報印刷システム
１１０…コンピュータ
１２０，４３０…プリンタ
２００，５００…主制御部
２１０，５１０…入力手段
２２０，５２０…データ参照手段
２３０，５３０…データ抽出手段
２４０，５４０…出力手段
３００…グルメ情報誌
４１０…クライアント
４２０…サーバ
５５０…ユーザ管理部
５６０…認証部
５７０…履歴保持部
【図１】
2004086659.tif 000003
【図２】
2004086659.tif 000004
【図３】
2004086659.tif 000005
【図４】
2004086659.tif 000006
【図５】
2004086659.tif 000007
【図６】
2004086659.tif 000008
【図７】
2004086659.tif 000009
【図８】
2004086659.tif 000010
【図９】
2004086659.tif 000011
【図１０】
2004086659.tif 000012
【図１１】
2004086659.tif 000013
【図１２】
2004086659.tif 000014
【図１３】
2004086659.tif 000015